(57)【特許請求の範囲】
【請求項１】
システム帯域幅の両端に定期的なチャネル品質指標リソースを含む無線リソースのアクティブな帯域幅を縮小するステップと、
前記アクティブな帯域幅の両端における前記定期的なチャネル品質指標リソースの一部が未使用のままとなるように前記無線リソースを割り当てるステップと、
を含むことを特徴とする方法。
【請求項２】
前記無線リソースが、物理アップリンク制御チャネルリソース、物理アップリンク共有チャネルリソース、及び物理ランダムアクセスチャネルリソースのうちの少なくとも１つを含む、
ことを特徴とする請求項１に記載の方法。
【請求項３】
割り当てステップが、前記アクティブな帯域幅の両端における前記定期的なチャネル品質指標リソースの一部空白のままにすることを含む、
ことを特徴とする請求項１に記載の方法。
【請求項４】
前記割り当てステップが、前記アクティブな帯域幅の両端を予め定めた方法で制御するために、前記定期的なチャネル品質指標リソースの一部に対して使用する送信電力を制御するステップ及び選択するステップの少なくとも一方を含む、
ことを特徴とする請求項１に記載の方法。
【請求項５】
前記定期的なチャネル品質指標リソースが、物理アップリンク制御チャネルフォーマット２、２ａ、及び２ｂのうちの少なくとも１つを含み、前記割り当てステップが、前記定期的なチャネル品質指標リソースの一部が未使用のままとなるようにため、パラメータ
0005468066.tif 000063
及び
0005468066.tif 000064
を、
0005468066.tif 000065
＞＞（前記物理アップリンク制御チャネルフォーマット２、２ａ、及び２ｂのうちの前記少なくとも１つに同時に割り当てられたリソースの数）となるように選択するステップを含み、前記物理アップリンク制御チャネルフォーマット２、２ａ、及び２ｂのうちの前記少なくとも１つに同時に割り当てられた前記リソースの数が
0005468066.tif 000066
に等しく、
0005468066.tif 000067
は前記物理アップリンク制御チャネルフォーマット２、２ａ、及び２ｂに関して使用されるリソースのリソースインデックスであり、
0005468066.tif 000068
は、周波数領域内のリソースブロックサイズに等しく、サブキャリア数として表され、
0005468066.tif 000069
は、前記物理アップリンク制御チャネルフォーマット２、２ａ、及び２ｂのために予約された帯域幅であり、
0005468066.tif 000070
の倍数で表され、
0005468066.tif 000071
は、混合リソースブロック内の物理アップリンク制御チャネルフォーマット１、１ａ、及び１ｂのうちの少なくとも１つに使用される巡回シフトの数であり、
0005468066.tif 000072
は、物理アップリンク制御チャネルフォーマット２、２ａ、及び２ｂに関して使用されるリソースのリソースインデックスである、
ことを特徴とする請求項１に記載の方法。
【請求項６】
前記無線リソースを割り当てるステップが、少なくとも１つの物理アップリンク制御チャネルフォーマット２、２ａ、及び２ｂリソースを割り当てるステップを含み、前記割り当てステップが
0005468066.tif 000073
により定義され、この場合ｋ∈［０，１，２，．．．］であり、未使用のリソースが
0005468066.tif 000074
∈［０，１，２，．．．
0005468066.tif 000075
］となるように設定され、
0005468066.tif 000076
は、物理アップリンク制御チャネルフォーマット２、２ａ、及び２ｂに関して使用されるリソースのリソースインデックスであり、
0005468066.tif 000077
は、周波数領域内のリソースブロックサイズに等しく、サブキャリア数として表される、
ことを特徴とする請求項１に記載の方法。
【請求項７】
前記定期的なチャネル品質指標リソースが、物理アップリンク制御チャネルフォーマット２、２ａ、及び２ｂのうちの少なくとも１つを含み、前記物理アップリンク制御チャネルフォーマット２、２ａ、及び２ｂの前記少なくとも１つを、（
0005468066.tif 000078
）によって定義される最後の利用可能な物理アップリンク制御チャネルフォーマット２、２ａ、及び２ｂリソースから割り当てるステップをさらに含み、
0005468066.tif 000079
は、周波数領域内のリソースブロックサイズに等しく、サブキャリア数として表され、
0005468066.tif 000080
は、前記物理アップリンク制御チャネルフォーマット２、２ａ、及び２ｂのために予約された帯域幅であり、
0005468066.tif 000081
の倍数で表され、
0005468066.tif 000082
は、混合リソースブロック内の物理アップリンク制御チャネルフォーマット１、１ａ、及び１ｂの少なくとも１つに使用される巡回シフトの数である、
ことを特徴とする請求項１に記載の方法。
【請求項８】
前記無線リソースがサウンディング基準信号リソースを含み、割り当てステップが、前記サウンディング基準信号リソースが前記未使用のままとなるようにされた定期的なチャネル品質指標リソースと重複するように構成されることを含む、
ことを特徴とする請求項１に記載の方法。
【請求項９】
システム帯域幅が、１．４ＭＨｚ、３ＭＨｚ、５ＭＨｚ、１０ＭＨｚ、１５ＭＨｚ、又は２０ＭＨｚのうちの１つに等しい、
ことを特徴とする請求項１に記載の方法。
【請求項１０】
前記システムがロングタームエボリューションシステムである、
ことを特徴とする請求項１に記載の方法。
【請求項１１】
前記無線リソースがアップリンク無線リソースである、
ことを特徴とする請求項１から請求項１０のいずれか１項に記載の方法。
【請求項１２】
コンピュータに、
システム帯域幅の両端に定期的なチャネル品質指標リソースを含む無線リソースのアクティブな帯域幅を縮小する手順と、
前記アクティブな帯域幅の両端における前記定期的なチャネル品質指標リソースの一部が未使用のままとなるように前記無線リソースを割り当てる手順と、
を実行させるためのプログラムを記録したことを特徴とするコンピュータ読み取り可能な記録媒体。
【請求項１３】
システム帯域幅の両端に定期的なチャネル品質指標リソースを含む無線リソースのアクティブな帯域幅を縮小するように構成されたプロセッサを含み、
前記プロセッサが、前記アクティブな帯域幅の両端における前記定期的なチャネル品質指標リソースの一部が未使用のままとなるように前記無線リソースを割り当てるように構成される、
ことを特徴とする装置。
【請求項１４】
前記無線リソースが、物理アップリンク制御チャネルリソース、物理アップリンク共有チャネルリソース、及び物理ランダムアクセスチャネルリソースのうちの少なくとも１つを含む、
ことを特徴とする請求項１３に記載の装置。
【請求項１５】
割り当てステップが、前記アクティブな帯域幅の両端における前記定期的なチャネル品質指標リソースの一部を空白のままとなるように割り当てるように構成されることを含む、
ことを特徴とする請求項１３に記載の装置。
【請求項１６】
前記割り当てステップが、前記プロセッサが、前記アクティブな帯域幅の両端を予め定めた方法で制御するために、前記定期的なチャネル品質指標リソースの一部に対して使用する送信電力を制御するステップ及び選択するステップの少なくとも一方を行うように構成されることを含む、
ことを特徴とする請求項１３に記載の装置。
【請求項１７】
前記定期的なチャネル品質指標リソースが、物理アップリンク制御チャネルフォーマット２、２ａ、及び２ｂのうちの少なくとも１つを含み、前記割り当てステップが、前記定期的なチャネル品質指標リソースの一部が未使用のままとなるようにするため、前記プロセッサが、パラメータ
0005468066.tif 000083
及び
0005468066.tif 000084
を、
0005468066.tif 000085
＞＞（前記物理アップリンク制御チャネルフォーマット２、２ａ、及び２ｂのうちの前記少なくとも１つに同時に割り当てられたリソースの数）となるように選択するように構成されることを含み、前記プロセッサが、前記物理アップリンク制御チャネルフォーマット２、２ａ、及び２ｂのうちの前記少なくとも１つに同時に割り当てられた前記リソースの数が
0005468066.tif 000086
に等しくなるように割り当てるようにさらに構成され、
0005468066.tif 000087
は前記物理アップリンク制御チャネルフォーマット２、２ａ、及び２ｂに関して使用されるリソースのリソースインデックスであり、
0005468066.tif 000088
は、周波数領域内のリソースブロックサイズに等しく、サブキャリア数として表され、
0005468066.tif 000089
は、前記物理アップリンク制御チャネルフォーマット２、２ａ、及び２ｂのために予約された帯域幅であり、
0005468066.tif 000090
の倍数で表され、
0005468066.tif 000091
は、混合リソースブロック内の物理アップリンク制御チャネルフォーマット１、１ａ、及び１ｂのうちの少なくとも１つに使用される巡回シフトの数であり、
0005468066.tif 000092
は、物理アップリンク制御チャネルフォーマット２、２ａ、及び２ｂに関して使用されるリソースのリソースインデックスである、
ことを特徴とする請求項１３に記載の装置。
【請求項１８】
前記無線リソースを割り当てるステップが、前記プロセッサが、少なくとも１つの物理アップリンク制御チャネルフォーマット２、２ａ、及び２ｂリソースを割り当てるように構成されることを含み、前記割り当てステップが
0005468066.tif 000093
により定義され、この場合ｋ∈［０，１，２，．．．］であり、未使用のリソースが
0005468066.tif 000094
∈［０，１，２、．．．
0005468066.tif 000095
］となるように設定され、
0005468066.tif 000096
は、物理アップリンク制御チャネルフォーマット２、２ａ、及び２ｂに関して使用されるリソースのリソースインデックスであり、
0005468066.tif 000097
は、周波数領域内のリソースブロックサイズに等しく、サブキャリア数として表される、ことを特徴とする請求項１３に記載の装置。
【請求項１９】
前記定期的なチャネル品質指標リソースが、物理アップリンク制御チャネルフォーマット２、２ａ、及び２ｂのうちの少なくとも１つを含み、前記物理アップリンク制御チャネルフォーマット２、２ａ、及び２ｂの前記少なくとも１つを、（
0005468066.tif 000098
）によって定義される最後の利用可能な物理アップリンク制御チャネルフォーマット２、２ａ、及び２ｂリソースから割り当てるステップをさらに含み、
0005468066.tif 000099
は、周波数領域内のリソースブロックサイズに等しく、サブキャリア数として表され、
0005468066.tif 000100
は、前記物理アップリンク制御チャネルフォーマット２、２ａ、及び２ｂのために予約された帯域幅であり、
0005468066.tif 000101
の倍数で表され、
0005468066.tif 000102
は、混合リソースブロック内の物理アップリンク制御チャネルフォーマット１、１ａ、及び１ｂの少なくとも１つに使用される巡回シフトの数である、
ことを特徴とする請求項１３に記載の装置。
【請求項２０】
前記無線リソースがサウンディング基準信号リソースを含み、割り当てステップが、前記プロセッサが、前記サウンディング基準信号リソースを前記未使用のままとなるようにされた定期的なチャネル品質指標リソースと重複するように割り当てるように構成されることを含む、
ことを特徴とする請求項１３に記載の装置。
【請求項２１】
システム帯域幅が、１．４ＭＨｚ、３ＭＨｚ、５ＭＨｚ、１０ＭＨｚ、１５ＭＨｚ、又は２０ＭＨｚのうちの１つに等しい、
ことを特徴とする請求項１３に記載の装置。
【請求項２２】
前記定期的なチャネル品質指標リソースに対応する前記未使用のままとなるようにされた無線リソースを使用して、物理アップリンク共有チャネル、物理ランダムアクセスチャネル、及びサウンディング基準信号のうちの少なくとも１つを送信するように構成された送信機を含む、
ことを特徴とする請求項１３から請求項２１のいずれか１項に記載の装置。
【請求項２３】
ユーザ装置に統合される、
ことを特徴とする請求項２２に記載の装置。
【請求項２４】
システム帯域幅の両端に定期的なチャネル品質指標リソースを含む無線リソースのアクティブな帯域幅を縮小するための手段と、
前記アクティブな帯域幅の両端における前記定期的なチャネル品質指標リソースの一部が未使用のままとなるように前記無線リソースを割り当てるための手段と、
を含むことを特徴とする装置。
【請求項２５】
前記無線リソースが、物理アップリンク制御チャネルリソース、物理アップリンク共有チャネルリソース、及び物理ランダムアクセスチャネルリソースのうちの少なくとも１つを含む、
ことを特徴とする請求項２４に記載の装置。
【発明の詳細な説明】
【技術分野】
【０００１】
本発明の例示的かつ非限定的な実施形態は、一般に、無線通信システム、方法、デバイス、及びコンピュータプログラム製品に関し、より具体的には、ユーザ装置とネットワークアクセスノードとの間のアップリンクシグナリングのための技術に関する。
【背景技術】
【０００２】
本項では、特許請求の範囲に記載する本発明に至るまでの背景又は状況を示す。本明細書における説明は、追求できる概念を含むことができるが、この概念が必ずしも以前に考案又は追求されたものであるとは限らない。従って、本項で説明する内容は、本明細書において特に示さない限り、本出願における説明及び特許請求の範囲にとっての先行技術ではなく、本項に含まれることにより先行技術であると認められるものではない。
【０００３】
本明細書及び／又は図面で見られる様々な略語については以下のように定義する。
３ＧＰＰ  第３世代パートナーシッププロジェクト
ＵＴＲＡＮ  ユニバーサル地上無線アクセスネットワーク
ＥＵＴＲＡＮ  進化型ＵＴＲＡＮ（ＬＴＥ）
ＬＴＥ  ロングタームエボリューション
Ｎｏｄｅ  Ｂ  基地局
ｅＮＢ  ＥＵＴＲＡＮ  Ｎｏｄｅ  Ｂ（進化型Ｎｏｄｅ  Ｂ）
ＵＥ  ユーザ装置
ＵＬ  アップリンク（ＵＥからｅＮＢへ）
ＣＡＺＡＣ  一定振幅ゼロ自己相関
ＤＬ  ダウンリンク（ｅＮＢからＵＥへ）
ＥＰＣ  進化型パケットコア
ＭＭＥ  モビリティ管理エンティティ
Ｓ−ＧＷ  サービングゲートウェイ
ＭＭ  モビリティ管理
ＨＯ  ハンドオーバ
Ｃ−ＲＮＴＩ  セル無線ネットワーク一時識別子
ＰＤＵ  プロトコルデータユニット
ＰＲＢ  物理リソースブロック
ＰＨＹ  物理
ＳＮ  シーケンス番号
ＲＢ  無線ベアラ
ＲＬＣ  無線リンク制御
ＲＲＣ  無線リソース制御
ＲＲＭ  無線リソース管理
ＭＡＣ  媒体アクセス制御
ＲＤＣＰ  パケットデータコンバージェンスプロトコル
Ｏ＆Ｍ  維持管理
ＳＤＵ  サービスデータユニット
ＢＷ  帯域幅
ＣＤＭ  符号分割多重
ＣＱＩ  チャネル品質指標
ＦＤＤ  周波数分割二重
ＦＤＭＡ  周波数分割多元接続
ＦＤＭ  周波数分割多重
ＨＡＲＱ  ハイブリッド自動再送要求
ＡＣＫ  確認応答
ＮＡＣＫ  否定ＡＣＫ
ＯＦＤＭＡ  直交周波数分割多元接続
ＳＣ−ＦＤＭＡ  単一キャリア周波数分割多元接続
ＴＤＤ  時分割二重
ＴＴＩ  送信時間間隔
ＰＵＣＣＨ  物理アップリンク制御チャネル
ＰＵＳＣＨ  物理アップリンク共有チャネル
ＰＲＡＣＨ  物理ランダムアクセスチャネル
ＡＣＬＲ  隣接チャネル漏洩電力比
ＦＳＵ  柔軟なスペクトルの使用
ＬＡ  ローカルエリア
Ｒｅｌ．８  リリース８
ＳＩＢ  システム情報ブロック
ＳＲＩ  スケジューリング要求インジケータ
【０００４】
３ＧＰＰ内では、進化型ＵＴＲＡＮ（Ｅ−ＵＴＲＡＮ、ＵＴＲＡＮ−ＬＴＥ又はＥ−ＵＴＲＡとも呼ばれる）として知られている通信システムが開発中である。ＤＬアクセス技術をＯＦＤＭＡとし、ＵＬアクセス技術をＳＣ−ＦＤＭＡとすることが規定されている。上述の通信システムでは、基本的なアップリンク送信スキームは、アップリンクユーザ間の直交性を実現するとともに受信側における効率的な周波数領域の均等化を可能にするためのサイクリックプレフィクスを有する単一キャリア周波数分割多元接続（ＳＣ−ＦＤＭＡ）である。ＤＦＴ拡散直交周波数分割多重（ＤＦＴ  Ｓ−ＯＦＤＭ）としても知られている信号の周波数領域生成が前提とされる。
【０００５】
このアップリンク送信内では、物理アップリンク制御チャネル（ＰＵＣＣＨ）サブフレーム構造が、ＡＣＫ／ＮＡＣＫ、ＣＱＩ、及びスケジューリング要求インジケータ（ＳＲＩ）情報などのＵＬ制御情報を伝搬する。ＬＴＥ仕様リリース８に示されるように、ＰＵＣＣＨはＵＬデータの不在時に使用されること、及びＰＵＣＣＨを同じＵＥから物理アップリンク共有チャネル（ＰＵＳＣＨ）と同時には送信できないことが理解されている。図１は、異なるＰＵＣＣＨフォーマット間の論理分割、及びＬＴＥ仕様に基づいてＰＵＣＣＨを構成する方法を示している。より詳細な情報については、３ＧＰＰ  ＴＳ  ３６．２１１  Ｖ８．２．０（２００８−０３）、第３世代パートナーシッププロジェクト、技術仕様グループ無線アクセスネットワーク、進化型ユニバーサル地上波無線アクセス（Ｅ−ＵＴＲＡ）、物理チャネル及び変調（リリース８）を参照することができる。
【０００６】
ＵＬ制御情報をシグナリングするためのＰＵＣＣＨサブフレーム構造は２つのスロットから成る。さらに、スロットごとに７つのＳＣ−ＦＤＭＡシンボルを定義することができ、本明細書では便宜的にこれらを「ＬＢ」とも呼ぶ。これらのＬＢの一部は、コヒーレント復調のためのパイロットロングブロックなどの基準信号に使用される一方、残りのＬＢは、制御及び／又はデータ送信に使用される。ＰＵＣＣＨでは、物理リソースブロック（ＰＲＢ）内の多重化が符号分割多重（ＣＤＭ）を使用して行われるのに対し、他の異なるリソースブロックでは局所的な周波数分割多重（ＦＤＭ）を使用するということが前提であった。ＰＵＣＣＨでは、１つの制御及びパイロット信号の帯域幅が常に１つのＰＲＢに対応する。
【先行技術文献】
【非特許文献】
【０００７】
【非特許文献１】３ＧＰＰ  ＴＳ  ３６．２１１  Ｖ８．２．０（２００８−０３）、第３世代パートナーシッププロジェクト、技術仕様グループ無線アクセスネットワーク、進化型ユニバーサル地上波無線アクセス（Ｅ−ＵＴＲＡ）、物理チャネル及び変調（リリース８）
【非特許文献２】３ＧＧＰ  ＴＳ  ３６．１０１  Ｖ８．１．０（２００８−０３）
【非特許文献３】３ＧＰＰ  ＴＳ  ３６．３００  Ｖ．８．３．０（２００７−１２）
【非特許文献４】３ＧＰＰ  ＴＳ  ３６．１０４  ｖ８．１．０
【非特許文献５】３ＧＰＰ  ＴＲ  ３６．９４２
【非特許文献６】３ＧＰＰ  ＴＳＧ  ＲＡＮ  ＷＧ１  第５３回会議、米国カンザスシティ、５月５日〜９日、Ｒ１−０８１９４８、ＬＴＥ−Ａｄｖａｎｃｅｄ技術の提案、ＮＴＴＤｏＣｏＭｏ社
【発明の概要】
【課題を解決するための手段】
【０００８】
本発明の第１の態様によれば、定期的なチャネル品質指標リソースを含む無線リソースを所定の方法でオーバープロビジョンするステップと、この無線リソースを、有効なシステム帯域幅の少なくとも１つを縮小し、割り当てられる無線リソースに関する帯域外放射を考慮して割り当てるステップとを含む方法が提供される。
【０００９】
本発明の別の態様によれば、前段落で示した方法を実施するようにプロセッサが実行できるコンピュータプログラムでエンコードされたコンピュータ可読媒体が提供される。
【００１０】
本発明の別の態様によれば、定期的なチャネル品質指標リソースを含む無線リソースを所定の方法でオーバープロビジョンするように構成されたプロセッサを含む装置が提供され、該プロセッサは、この無線リソースを、有効なシステム帯域幅の少なくとも１つを縮小し、割り当てられる無線リソースに関する帯域外放射を考慮して割り当てるように構成される。
【００１１】
本発明のさらに別の態様によれば、定期的なチャネル品質指標リソースを含む無線リソースを所定の方法でオーバープロビジョンするための手段と、この無線リソースを、有効なシステム帯域幅の少なくとも１つを縮小し、割り当てられる無線リソースに関する帯域外放射を考慮して割り当てるための手段とを含む装置が提供される。
【００１２】
ここで、本発明の例示的な実施形態をより完全に理解するために、添付図面に関連して行う以下の説明を参照する。
【図面の簡単な説明】
【００１３】
【図１】ＰＵＣＣＨの構成を示す図である。
【図２】３ＧＰＰ  ＴＳ  ３６．２１１によるＰＵＣＣＨの物理リソースブロックへのマッピングを示す図である。
【図３】ＰＵＣＣＨの別の表示であり、ＰＵＣＣＨが全送信帯域幅の両端に対称的に割り当てられることを示す図である。
【図４】Ｎ×２０ＭＨｚの帯域幅（Ｎ＝３）のＬＴＥ−ＡのためのＰＵＣＣＨの配置例を示す図である。
【図５ａ】従来の方法による原理を示す図である。
【図５ｂ】本発明の例示的な実施形態による、アクティブな帯域幅を調整する原理を示す図である。
【図６ａ】本発明の例示的な実施形態の使用による異なる例示的なＬＴＥ−Ａの使用事例を示す図である。
【図６ｂ】本発明の例示的な実施形態の使用による異なる例示的なＬＴＥ−Ａの使用事例を示す図である。
【図６ｃ】本発明の例示的な実施形態の使用による異なる例示的なＬＴＥ−Ａの使用事例を示す図である。
【図６ｄ】本発明の例示的な実施形態の使用による異なる例示的なＬＴＥ−Ａの使用事例を示す図である。
【図７】３ＧＰＰ  ＴＳ  ３６．３００の図４を再現したものであり、Ｅ−ＵＴＲＡＮシステムのアーキテクチャ全体を示す図である。
【図８】本発明の例示的な実施形態の実施において使用するのに適した様々な電子機器の簡略ブロック図である。
【図９】本発明の例示的な実施形態による方法の動作及びコンピュータプログラム命令の実行結果を示す論理フロー図である。
【図１０】本発明の例示的な実施形態による別の方法の動作及びコンピュータプログラム命令の実行結果を示す論理フロー図である。
【発明を実施するための形態】
【００１４】
本発明の実施形態例及びその潜在的な利点は、図面の図１から図１０を参照することにより理解される。
【００１５】
図１は、ＰＵＣＣＨの構成を示しており、異なるＰＵＣＣＨフォーマット間の論理分割及びＬＴＥ仕様においてＰＵＣＣＨを構成する方法を例示している。
【００１６】
ＣＤＭ（すなわち、同じリソースブロック（ＲＢ）内のＣＤＭ）により、ＰＵＣＣＨ上で異なるＵＥが多重化される。ＬＴＥ  Ｒｅｌ．８仕様では、２つの基本的なＰＵＣＣＨフォーマット、すなわちフォーマット１及びフォーマット２がサポートされる。両フォーマットは、個々のシンボル内の一定振幅ゼロ自動相関（ＣＡＺＡＣ）シーケンスの巡回シフト（巡回シフト領域内のＣＤＭ）を使用する。フォーマット１は、ＣＡＺＡＣ系列に加えてブロックごとの拡散（ブロック拡散符号を使用するＣＤＭ）も利用する。
【００１７】
図２は、（ｍで示す）論理リソースブロックの物理リソースブロックへの従来のマッピングを示している。
【００１８】
図２には、ＰＵＣＣＨ上でスロットベースの周波数ホッピングを使用していることを示している。図２では、
0005468066.tif 000002
は物理リソースブロック番号（インデックス）を示し、
0005468066.tif 000003
はアップリンク帯域幅構成を示し(
0005468066.tif 000004
＝１２）の倍数で表している。
【００１９】
さらに、図２に示すように、ＰＵＣＣＨが全送信帯域幅の両端に対称的に位置する。
【００２０】
図３は、従来の規格に基づいて、ＰＵＣＣＨがどのようにして全送信帯域幅の両端に対称的に位置するかを同様に示している。従って、（ＰＵＣＣＨを含む）ＵＬ帯域幅は、常に
0005468066.tif 000005
×１８０ｋＨｚであり、
0005468066.tif 000006
∈［６，１５，２５，５０，７５，１００］である。このことは、第３世代パートナーシッププロジェクトの３ＧＧＰ  ＴＳ  ３６．１０１  Ｖ８．１．０（２００８−０３）の表５．４．２−１にも同様に示されている。
【００２１】
図４は、３×２０ＭＨｚのシステム帯域幅から成る従来のＬＴＥ−ＡのＵＬの実施及びＬＴＥ−Ａの場合のＰＵＣＣＨの配置を示している。
【００２２】
図４では、２０ＭＨｚよりも大きな帯域幅を割り当てられたＬＴＥ−ＡのＵＥでは、リリース８のＰＵＣＣＨが不連続なスペクトルを生じることが分かる。すなわち、ＬＴＥ−ＡのＵＥから見た問題点は、連続スペクトルの使用しか許可されないことにより、Ｒｅｌ．８のＳＣ−ＦＤＭＡでは２０ＭＨｚよりも大きな送信帯域幅をサポートできないという点である。
【００２３】
図５は、図５ａ及び図５ｂによって表している。
【００２４】
図５ａは、ＰＵＣＣＨを含む送信帯域幅構成が一例として１８ＭＨｚに等しい１００ＲＢである従来の方法を示している。
【００２５】
図５ｂは、本発明の例示的な実施形態に基づいて、ＰＵＣＣＨを含む送信帯域幅構成が一例として１６．２ＭＨｚに等しい９０ＲＢになるようにアクティブな帯域幅を調整した場合を示している。
【００２６】
図６は、本発明の実施形態による（図６ａ、図６ｂ、図６ｃ、及び図６ｄのような）異なるＬＴＥ−Ａの使用事例を示している。
【００２７】
図６ａは、ＬＴＥ−ＡのＵＬシステムの３×２０ＭＨｚの実施例を示す既に提案済みの技術とみなすことができる。図６ａは、２０ＭＨｚのサブバンドの１つが全てのＬＴＥ  Ｒｅｌ．８のＵＥを含み、従ってＲｅｌ．８のＰＵＣＣＨを含むと仮定される。
【００２８】
図６ｂ及び図６ｃは、ＬＴＥのＵＥ１０により大きな連続スペクトルを提供する目的で、これらの例示的な実施形態を使用してＲｅｌ．８のＰＵＣＣＨをより狭くした２つの使用事例を示している。
【００２９】
図６ｄは、例示的な実施形態を使用して、ＬＴＥ−ＡのＵＬシステムにおいてマルチクラスタ送信を行う際にさらなる柔軟性を得る例を示している。いくつかの事例では、クラスタ化したＬＴＥ−Ａの送信に等間隔のクラスタを提供できることが（主にキュービックメトリック（ＣＭ）の観点から）有利である。
【００３０】
図７は、３ＧＰＰ  ＴＳ  ３６．３００  Ｖ．８．３．０（２００７−１２）の図４を再現したものであり、Ｅ−ＵＴＲＡＮシステムのアーキテクチャ全体を示している。
【００３１】
図７には、異なるインターフェイスを使用して他のネットワークノード、及び／又は電話ネットワーク及び／又は（インターネットなどの）データ通信ネットワークなどのネットワークとの接続を提供するネットワークノード及び（ＭＭＥ／Ｓ−ＧＷ及びｅＮＢなどの）ゲートウェイを示している。
【００３２】
図８は、本発明の例示的な実施形態の実施において使用するのに適した様々な電子機器の簡略ブロック図である。図８には、ＮｏｄｅＢ（基地局）、より具体的にはｅＮＢ１２などのネットワークアクセスノードを介して、ＵＥ１０と呼ぶことができるモバイル通信機器などの装置と通信するようにされた無線ネットワーク１を示している。
【００３３】
図８に示すように、ネットワーク１は、図７に示すＭＭＥ／Ｓ−ＧＷの機能を含むことができるネットワーク制御要素（ＮＣＥ）１４を含むことができ、これが電話ネットワーク及び／又は（インターネットなどの）データ通信ネットワークなどのネットワーク１６との接続を提供する。ＵＥ１０は、データプロセッサ（ＤＰ）１０Ａと、プログラム（ＰＲＯＧ）１０Ｃを記憶するメモリ（ＭＥＭ）１０Ｂと、１又はそれ以上のアンテナを介してｅＮＢ１２と双方向無線通信１１を行うための適当な無線周波数（ＲＦ）トランシーバ１０Ｄとを含む。ｅＮＢ１２もまた、ＤＰ１２Ａと、ＰＲＯＧ１２Ｃを記憶するＭＥＭ１２Ｂと、適当なＲＦトランシーバ１２Ｄとを含む。ｅＮＢ１２は、データパス１３を介してＮＣＥ１４に接続される。データパス１３は、図７に示すＳ１インターフェイスとして実現することができる。ＰＲＯＧ１０Ｃ及び１２Ｃの少なくとも一方は、関連するＤＰにより実行された場合に本発明の例示的な実施形態に基づいて電子機器を動作させることができるプログラム命令を含むと仮定され、これについては以下でより詳細に説明する。
【００３４】
なお、本発明の例示的な実施形態を少なくとも部分的に、ＵＥ１０のＤＰ１０Ａ及びｅＮＢ１２のＤＰ１２Ａが実行できるコンピュータソフトウェアにより、又はハードウェアにより、或いはソフトウェアとハードウェアの組み合わせにより実現することができる。
【００３５】
図９は、本発明の例示的な実施形態による方法の動作及びコンピュータプログラム命令の実行結果を示す論理フロー図である。
【００３６】
図９のブロック９Ａにおいて、定期的なＣＱＩリソース（ＰＵＣＣＨフォーマット２／２ａ／２ｂ）を所定の方法でオーバーディメンションするステップを行い、図９のブロック９Ｂにおいて、スペクトルの端部が未使用のままとなるようにＰＵＣＣＨフォーマット２／２ａ／２ｂを割り当てるステップを行う。
【００３７】
図１０は、本発明の例示的な実施形態による方法、装置、及び（単複の）コンピュータプログラム製品を示す論理フロー図である。図１０のブロック１０Ａにおいて、定期的なチャネル品質指標リソースを含む無線リソースを所定の方法でオーバープロビジョンするステップを行い、図１０のブロック１０Ｂにおいて、この無線リソースを、有効なシステム帯域幅の少なくとも１つを縮小し、割り当てられる無線リソースに関する帯域外放射を考慮して割り当てるステップを行う。
【００３８】
本明細書に開示する例示的な実施形態の１又はそれ以上の技術効果は、以下に記載する特許請求の範囲、解釈、又は用途を決して限定することなく、１つの非限定的な例としてＬＴＥ（リリース８）におけるシステムＵＬ帯域幅を調整するための技術である。本明細書に開示する例示的な実施形態の１又はそれ以上の別の技術効果は、アップリンク制御チャネルのための帯域幅の割り当てを改善し、より具体的には、アップリンクシステム帯域幅の割り当てを調整し、アップリンク制御チャネルの割り当てを調整することである。本明細書に開示する例示的な実施形態の１又はそれ以上の別の技術効果は、定期的なＣＱＩリソース（ＰＵＣＣＨフォーマット２／２ａ／２ｂ）を所定の方法でオーバーディメンション又はオーバープロビジョンするための手段と、前記オーバーディメンションされたリソースに応答して、スペクトルの端部が未使用のままとなるようにＰＵＣＣＨフォーマット２／２ａ／２ｂを割り当てるための手段とを含む装置を提供することである。
【００３９】
本発明の例示的な実施形態は、ＵＴＲＡＮ  ＬＴＥ  Ｒｅｌ．８及びそれ以降のリリースに向けた（例えばＬＴＥ−ＡｄｖａｎｃｅｄすなわちＬＴＥ−Ａに向けた）進化のＵＬ部分に関する。さらに、本発明の例示的な実施形態は、アップリンク制御シグナリングのための物理アップリンク制御チャネル（ＰＵＣＣＨ）サブフレーム構造の使用に関する。より具体的には、この例示的な実施形態はＰＵＣＣＨの構成を考慮するとともに、ＰＵＣＣＨの割り当てを改善するための方法、装置、及びコンピュータプログラムに関する。
【００４０】
図７は、３ＧＰＰ  ＴＳ  ３６．３００の図４を再現したものであり、Ｅ−ＵＴＲＡＮシステムのアーキテクチャ全体を示している。Ｅ−ＵＴＲＡＮシステムは、ＵＥへ向けたＥ−ＵＴＲＡユーザプレーン（ＰＤＣＰ／ＲＬＣ／ＭＡＣ／ＰＨＹ）及びコントロールプレーン（ＲＲＣ）プロトコルの終端を提供するｅＮＢを含む。ｅＮＢは、Ｘ２インターフェイスにより相互接続される。ｅＮＢはまた、Ｓ１インターフェイスによりＥＰＣに、より具体的にはＳ１−ＭＭＥインターフェイスによりＭＭＥ（モビリティ管理エンティティ）に、Ｓ１−Ｕインターフェイスによりサービングゲートウェイ（Ｓ−ＧＷ）に接続される。Ｓ１インターフェイスは、ＭＭＥ／サービンググゲートウェイとｅＮＢの間の多対多の関係をサポートする。
【００４１】
ｅＮＢは、以下の機能をホストする。
無線リソース管理機能：無線ベアラ制御、無線アドミッション制御、接続モビリティ制御、スケジューリングのためのアップリンク及びダウンリンクの両方におけるＵＥへのリソースの動的割り当て
ユーザデータストリームのＩＰヘッダ圧縮及び暗号化
ＵＥ接続時のＭＭＥの選択
サービンググゲートウェイへ向けたユーザプレーンデータのルーティング
ＭＭＥを発信元とするようなページングメッセージのスケジューリング及び送信
ＭＭＥ又はＯ＆Ｍを発信元とするようなブロードキャスト情報のスケジューリング及び送信
モビリティ及びスケジューリングのための測定及び測定報告構成
【００４２】
前述したように、ＰＵＣＣＨは、ＡＣＫ／ＮＡＣＫ、ＣＱＩ、及びスケジューリング要求インジケータ（ＳＲＩ）情報などのＵＬ制御情報を伝搬する。ＬＴＥ  Ｒｅｌ．８に示されるように、ＰＵＣＣＨはＵＬデータの不在時に使用され、ＰＵＣＣＨを同じＵＥからＰＵＳＣＨと同時に送信することはできない。
【００４３】
図１は、ＰＵＣＣＨの構成を示している。図１には、異なるＰＵＣＣＨフォーマット間の論理分割、及びＬＴＥ仕様においてＰＵＣＣＨを構成する方法を示している。３ＧＰＰ  ＴＳ  ３６．２１１  Ｖ８．２．０（２００８−０３）、第３世代パートナーシッププロジェクト、技術仕様グループ無線アクセスネットワーク、進化型ユニバーサル地上波無線アクセス（Ｅ−ＵＴＲＡ）、物理チャネル及び変調（リリース８）を参照することができる。
【００４４】
ＣＤＭ（すなわち、同じリソースブロック（ＲＢ）内のＣＤＭ）により、ＰＵＣＣＨ上で異なるＵＥが多重化される。ＬＴＥ  Ｒｅｌ．８仕様でサポートされる２つの基本的なＰＵＣＣＨフォーマットは、フォーマット１及びフォーマット２である。これらのフォーマットの両方は、個々のシンボル内でＣＡＺＡＣ系列の巡回シフトを、又は巡回シフト領域内でＣＤＭを使用する。フォーマット１はまた、ＣＡＺＡＣ系列に加えてブロックごとの拡散を、又はブロック拡散符号を使用するＣＤＭを利用する。
【００４５】
ＰＵＣＣＨは、１、１ａ、１ｂ、２、２ａ、２ｂなどの複数のフォーマット、及びフォーマット１／１ａ／１ｂ及び２／２ａ／２ｂの混合をサポートする。ＰＵＣＣＨフォーマットは以下の方法で使用されてきた。
フォーマット１：ＳＲＩ
フォーマット１ａ：１ビットＡ／Ｎ
フォーマット１ｂ：２ビットＡ／Ｎ
フォーマット２：定期的なＣＱＩ
フォーマット２ａ：定期的なＣＱＩ＋１ビットＡ／Ｎ
フォーマット２ｂ：定期的なＣＱＩ＋２ビットＡ／Ｎ
【００４６】
ＰＵＣＣＨは、以下のパラメータを使用して構成される（完全なリストに関しては３ＧＰＰ  ＴＳ  ３６．２１１を参照）。
0005468066.tif 000007
ＰＵＣＣＨ送信に使用するスロット内のリソースブロックの数（上位層により設定）
0005468066.tif 000008
ＰＵＣＣＨフォーマット２／２ａ／２ｂのために予約された帯域幅であり、
0005468066.tif 000009
の倍数で表される
0005468066.tif 000010
フォーマット１／１ａ／１ｂ及び２／２ａ／２ｂを混合したリソースブロック内でＰＵＣＣＨフォーマット１／１ａ／１ｂに使用する巡回シフトの数
0005468066.tif 000011
周波数領域内のリソースブロックサイズであり、サブキャリア数として表される（＝１２）
【００４７】
（ｍで示す）論理リソースブロックの物理リソースブロックへのマッピングを図２に示している。なお、ＰＵＣＣＨ上ではスロットベースの周波数ホッピングが常に使用される。
0005468066.tif 000012
物理リソースブロック番号（インデックス）
0005468066.tif 000013
アップリンク帯域幅構成であり、（
0005468066.tif 000014
＝１２）の倍数で表される。
【００４８】
ＰＵＣＣＨ予約リソースの構成により、ＰＲＡＣＨ（ＰＵＳＣＨリソースエリア内となる）の潜在的位置とともに、利用可能なＰＵＳＣＨリソースを定義することができる。
【００４９】
なお、サウンディング基準信号送信がＰＵＣＣＨをパンクチャすべきでないことが予め決められている。
【００５０】
これらの仕様によれば、少なくとも２つの問題点が存在することが分かる。
【００５１】
第１の問題点は、ＬＴＥ  Ｒｅｌ．８に基づくＵＬシステムの実施に関連するものである。問題の原因を示すために、図３（及び図２）に示すように、ＰＵＣＣＨが全送信帯域幅の両端に対称的に位置しているのが分かる。これはつまり、３ＧＧＰ  ＴＳ  ３６．１０１  Ｖ８．１．０（２００８−０３）、第３世代パートナーシッププロジェクト、技術仕様グループ無線アクセスネットワーク、進化型ユニバーサル地上波無線アクセス（Ｅ−ＵＴＲＡ）、ユーザ装置（ＵＥ）無線送受信（リリース８）の表５．４．２−１に示されるように、ＰＵＣＣＨを含むＵＬ帯域幅が常に
0005468066.tif 000015
×１８０ｋＨｚ、
0005468066.tif 000016
∈［６，１５，２５，５０，７５，１００］であることを意味する。
【００５２】
ＵＬシステム帯域幅をより高い精度で調整できることが非常に有益であると理解できる。この特徴の理由として、多くの通信事業者が、上述したような標準化されたＵＬシステム帯域幅の１つが少なくともＵＬシステム帯域幅に合致しないという実施状況に直面していることが挙げられる。このことは、共存分析報告（３ＧＰＰ  ＴＲ  ３６．９４２）、並びにＵＥのための（３ＧＰＰ  ＴＳ  ３６．１０１  ｖ８．１．０）及びＢＳのための（３ＧＰＰ  ＴＳ  ３６．１０４  ｖ８．１．０）最終的トランシーバ仕様にもかかわらず起こり得ることが分かる。しかも、より小さな標準化されたＵＬシステム帯域幅を使用するとスペクトル効率が大幅に低下する一方で、大きすぎる帯域幅を使用することは、規制要件及び放射限界によって単純に不可能である。
【００５３】
第２の問題点は、ＬＴＥ−Ａｄｖａｎｃｅｄシステムに関するものである。ＬＴＥ−ＡシステムではＬＴＥ  Ｒｅｌ．８端末を動作できるようにすべきことが決められている。図４は、３×２０ＭＨｚのシステム帯域幅から成るＬＴＥ−ＡのＵＥ実施の例を示している。図４では、２０ＭＨｚよりも大きな帯域幅を割り当てられたＬＴＥ−ＡのＵＥでは、Ｒｅｌ．８のＰＵＣＣＨが不連続なスペクトルを生じるであろうことが分かる。従って、ＬＴＥ−ＡのＵＥから見れば、少なくともＲｅｌ．８のＳＣ−ＦＤＭＡでは２０ＭＨｚよりも大きな送信帯域幅をサポートできないという理由で問題があることが分かる。このことは、少なくとも連続スペクトルの使用しか許可されないという理由により起こり得ることが分かる。この点に関しては、３ＧＰＰ  ＴＳＧ  ＲＡＮ  ＷＧ１  第５３回会議、米国カンザスシティ、２００８年５月５日〜９日、Ｒ１−０８１９４８、ＬＴＥ−Ａｄｖａｎｃｅｄ技術の提案、ＮＴＴＤｏＣｏＭｏ社を参照することができる。
【００５４】
本発明の例示的な実施形態の実施において使用するのに適した様々な電子機器の簡略ブロック図を示す図８を参照する。図８では、無線ネットワーク１が、ＮｏｄｅＢ（基地局）、より具体的にはｅＮＢ１２などのネットワークアクセスノードを介して、ＵＥ１０と呼ぶことができるモバイル通信機器などの装置と通信するようにされている。ネットワーク１は、図７に示すＭＭＥ／Ｓ−ＧＷの機能を含むことができるネットワーク制御要素（ＮＣＥ）１４を含むことができ、これが電話ネットワーク及び／又は（インターネットなどの）データ通信ネットワークなどのネットワーク１６との接続を提供する。ＵＥ１０は、データプロセッサ（ＤＰ）１０Ａと、プログラム（ＰＲＯＧ）１０Ｃを記憶するメモリ（ＭＥＭ）１０Ｂと、１又はそれ以上のアンテナを介してｅＮＢ１２と双方向無線通信１１を行うための適当な無線周波数（ＲＦ）トランシーバ１０Ｄとを含む。ｅＮＢ１２もまた、ＤＰ１２Ａと、ＰＲＯＧ１２Ｃを記憶するＭＥＭ１２Ｂと、適当なＲＦトランシーバ１２Ｄとを含む。ｅＮＢ１２は、データパス１３を介してＮＣＥ１４に接続される。データパス１３は、図７に示すＳ１インターフェイスとして実現することができる。ＰＲＯＧ１０Ｃ及び１２Ｃの少なくとも一方は、関連するＤＰにより実行された場合に本発明の例示的な実施形態に基づいて電子機器を動作させることができるプログラム命令を含むと仮定され、これについては以下でより詳細に説明する。
【００５５】
すなわち、本発明の例示的な実施形態を少なくとも部分的に、ＵＥ１０のＤＰ１０Ａ及びｅＮＢ１２のＤＰ１２Ａが実行できるコンピュータソフトウェアにより、又はハードウェアにより、或いはソフトウェアとハードウェアの組み合わせにより実現することができる。
【００５６】
ｅＮＢ１２と結合されたＯ＆Ｍ機能１８も示しており、この使用に関しては以下で説明する。
【００５７】
本発明の例示的な実施形態を説明するために、ＵＥ１０はＲＲＣ機能１０Ｅも含むと仮定することができ、ｅＮＢ１２は対応するＲＲＣ機能１２Ｅを含む。以下で説明するように、ＲＲＣシグナリングを使用してｅＮＢ１２とＵＥ１０の間のＰＵＣＣＨパラメータのシグナリングを実現することができる。
【００５８】
一般に、ＵＥ１０の様々な実施形態として、以下に限定されるわけではないが、携帯電話、無線通信機能を有する携帯情報端末（ＰＤＡ）、無線通信機能を有するポータブルコンピュータ、無線通信機能を有するデジタルカメラなどの画像取込装置、無線通信機能を有するゲーム機器、無線通信機能を有する音楽録音及び再生装置、無線インターネットアクセス及びブラウジングを可能にするインターネット家電、並びにこのような機能の組み合わせを内蔵したポータブル装置又は端末を挙げることができる。
【００５９】
ＭＥＭ１０Ｂ、１２Ｂは、局所的技術環境に適したいずれのタイプのものであってもよく、半導体ベースの記憶装置、フラッシュメモリ、磁気記憶装置及びシステム、光学記憶装置及びシステム、固定メモリ、及び取り外し可能メモリなどの適当なデータストレージ技術を使用してこれらを実現することができる。ＤＰ１０Ａ、１２Ａは、局所的技術環境に適したいずれのタイプのものであってもよく、非限定的な例として、汎用コンピュータ、専用コンピュータ、マイクロプロセッサ、デジタルシグナルプロセッサ（ＤＳＰ）、マルチコアプロセッサアーキテクチャに基づくプロセッサのうちの１又はそれ以上を含むことができる。本発明の実施形態は、ソフトウェア、ハードウェア、アプリケーションロジック、又はソフトウェアとハードウェアとアプリケーションロジックとの組み合わせの形で実現することができる。ソフトウェア、アプリケーションロジック、及び／又はハードウェアは、ＵＥ１０又はｅＮＢ１２を含むデバイス上に存在することができる。必要に応じて、ソフトウェア、アプリケーションロジック、及び／又はハードウェアの一部がＮＣＥ１４などのデバイス上に存在してもよく、ソフトウェア、アプリケーションロジック、及び／又はハードウェアの一部がＯ＆Ｍ上に存在してもよい。例示的な実施形態では、様々な従来のコンピュータ可読媒体のうちのいずれか１つにアプリケーションロジック、ソフトウェア、又は命令セットが保持される。本文書内では、「コンピュータ可読媒体」とは、図８に１つの例を記載及び図示するコンピュータのような命令実行システム、装置、又はデバイスにより、又はこれらと関連して使用される命令を含み、記憶し、伝達し、伝搬し、送信することができるいずれの媒体又は手段であってもよい。コンピュータ可読媒体は、コンピュータなどの命令実行システム、装置、又はデバイスにより、又はこれらと関連して使用される命令を含み又は記憶することができるいずれの媒体又は手段であってもよいコンピュータ可読記憶媒体を含むことができる。
【００６０】
必要に応じて、本明細書で説明する異なる機能を異なる順序で及び／又は互いに同時に実行することができる。さらに、必要に応じて、上述の機能の１又はそれ以上を任意とすることも、又は組み合わせることもできる。
【００６１】
独立請求項には本発明の様々な態様を記載しているが、本発明のその他の態様は、請求項に明示的に記載した組み合わせのみならず、説明した実施形態及び／又は従属請求項から得られる機能と独立請求項の機能との組み合わせも含む。
【００６２】
上記では本発明の例示的な実施形態について説明しているが、これらの説明を限定的な意味でとらえるべきでない点にも留意されたい。むしろ、添付の特許請求の範囲で定義する本発明の範囲から逸脱することなく、多くの変形及び修正を行うことができる。
【００６３】
本発明の例示的な実施形態は、１つの非限定的な例としてＬＴＥ（リリース８）におけるシステムＵＬ帯域幅を調整するための技術を提供する。一般的な原理を図５に示す。図５ａには、ＰＵＣＣＨを含む送信帯域幅構成が１８ＭＨｚに等しい１００ＲＢである従来の方法を示している。一方で図５ｂは、本発明の例示的な実施形態による、ＰＵＣＣＨを含む送信帯域幅構成が例えば１６．２ＭＨｚに等しい９０ＲＢになるようにアクティブな帯域幅を調整した場合を示している。従って、例示的な実施形態の非限定的な例によれば、５１０及び５２０として示す帯域幅のスペクトルの端部が未使用のままとなる。さらに、本発明の非限定的で例示的な実施形態によれば、本明細書ではアクティブな帯域幅及び有効な帯域幅という用語を同義的に使用することができ、少なくとも送信帯域幅構成を意味するためにこれらの用語を使用することができる。
【００６４】
本発明の例示的な実施形態のより具体的な例は以下のとおりである。
【００６５】
（１）定期的なＣＱＩリソース（ＰＵＣＣＨフォーマット２／２ａ／２ｂ）を所定の方法でオーバーディメンションする。これは、パラメータ
0005468066.tif 000017
及び
0005468066.tif 000018
を、
0005468066.tif 000019
＞＞（ＰＵＣＣＨフォーマット２／２ａ／２ｂに同時に割り当てられたリソースの数）となるように選択することにより実現される。
＞＞は、「〜よりもかなり大きい」を表す記号である。
0005468066.tif 000020
は、ＰＵＣＣＨフォーマット２／２ａ／２ｂのリソースインデックス（サイズ）である。
0005468066.tif 000021
は、周波数領域内のリソースブロックサイズに等しく、サブキャリア数として表される（
0005468066.tif 000022
＝１２）。
0005468066.tif 000023
は、ＰＵＣＣＨフォーマット２／２ａ／２ｂのために予約された帯域幅であり、
0005468066.tif 000024
の倍数で表される。
0005468066.tif 000025
は、混合リソースブロック（ＰＵＣＣＨフォーマット１／１ａ／１ｂ及び２／２ａ／２ｂを含む）内でＰＵＣＣＨフォーマット１／１ａ／１ｂに使用される巡回シフトの数である。
ＰＵＣＣＨリソースのディメンショニング又はプロビジョニングは、所定の数のＰＵＣＣＨフォーマット２／２ａ／２ｂリソース（ＲＢ）を未使用のままにすることができる（すなわち、十分な数の使用可能なＰＵＣＣＨフォーマット２／２ａ／２ｂリソースが依然として存在する）ように実行される。さらに、本発明の非限定的で例示的な実施形態によれば、オーバーディメンショニング、オーバープロビジョニングという用語又は他の同様の用語は、ＣＱＩ、ＰＵＣＣＨ、又は制御シグナリングを含むことができるその他のシグナリングの帯域幅又は帯域幅の使用を調整することを意味するために使用することができる。
【００６６】
（２）ｅＮＢ１２が、ＰＵＣＣＨフォーマット２／２ａ／２ｂを、スペクトルの端部が未使用のままとなるように割り当てる。１つの例示的な方法では、未使用のＰＵＣＣＨフォーマット２／２ａ／２ｂリソースの数が
0005468066.tif 000026
となるように定義され、この場合ｋ∈［０，１，２，．．．］（すなわち、２つのＲＢの倍数）である。未使用のリソースは、
0005468066.tif 000027
∈［０，１，２，．．．
0005468066.tif 000028
］となるように設定される。ｅＮＢ１２のための１つのオプションは、定期的なＣＱＩリソース（ＰＵＣＣＨフォーマット２／２ａ／２ｂ）を最後の利用可能なＰＵＣＣＨフォーマット２／２ａ／２ｂリソース（
0005468066.tif 000029
）から割り当て始めることである。
【００６７】
追加の実施形態として、最大送信電力に対する電力マージンを考慮してＰＵＣＣＨリソース内にＵＥ１０を配置することができる。アウトバンド放射を考慮することにより、（隣接バンドに対して）過剰な干渉を引き起こさないこれらのＵＥを、（周波数内の）最も外側に割り当てられたＰＵＣＣＨリソース内に割り当てることが有益となり得る。アウトバンド干渉を最小限に抑えるように電力制御パラメータを最適化することもできる。
【００６８】
（３）上記の項目１及び２で説明したＰＵＣＣＨ構成を使用して、以下のスケジューリング制約を同様に適用することができる。
ＰＵＳＣＨ割り当てが、調整されたＵＬシステム帯域幅を超えないこと
ＰＲＡＣＨ割り当てが、調整されたＵＬシステム帯域幅を超えないこと
ある状況では、ＰＵＳＣＨ及びＰＲＡＣＨを、調整されたＵＬシステム帯域幅から外れるように割り当てることができる。これは、ＬＴＥ−Ａシステムなどにおいて起こり得る。この周波数リソースの利用は、最大送信電力に対する電力マージンに基づくことができる。さらに、このリソース内にスケジューリングされたＵＥを、ＰＵＣＣＨ及びアウトバンド干渉に関するＰＣパラメータの最適化の対象とすることができる。
【００６９】
さらに、本発明の例示的な実施形態によれば、アウトバンド及び／又は帯域外という用語は、システム帯域幅又はこの一部の外側に非限定的な態様で関するものであり、本明細書ではこれらの用語を同義的に使用することができる。
【００７０】
（４）本発明によるＰＵＣＣＨ構成を考慮しながらサウンディング基準信号を準静的に構成することができる。上述したように、ＬＴＥ  Ｒｅｌ．８では、サウンディング基準信号送信がＰＵＣＣＨをパンクチャすべきでないことが決められている。
【００７１】
本発明のこれらの例示的な実施形態を使用することにより、ＬＴＥ及びＬＴＥ−Ａシステムにおけるより柔軟なスペクトルの使用を実現するためのいくつかのオプションが得られることを理解されたい。
【００７２】
図６は、例示的な実施形態による異なるＬＴＥ−Ａの使用事例を示しており、図６ａは、ＬＴＥ−Ａ  ＵＬシステムの３×２０ＭＨｚの実施例を示す既に提案済みの技術とみなすことができる。図６ａは、２０ＭＨｚサブバンドの１つが全てのＬＴＥ  Ｒｅｌ．８  ＵＥを含み、従ってＲｅｌ．８  ＰＵＣＣＨを含むと仮定される。
【００７３】
図６ｂ及び図６ｃは、ＬＴＥ  ＵＥ１０により大きな連続スペクトルを提供する目的で、これらの例示的な実施形態を使用してＲｅｌ．８  ＰＵＣＣＨをより狭くした２つの使用事例を示している。
【００７４】
図６ｄは、例示的な実施形態を使用して、ＬＴＥ−Ａ  ＵＬシステムにおいてマルチクラスタ送信を行う際にさらなる柔軟性を得る例を示している。いくつかの事例では、クラスタ化したＬＴＥ−Ａ送信に等間隔のクラスタを提供できることが（主にキュービックメトリック（ＣＭ）の観点から）有利である。
【００７５】
これらの例示的な実施形態を使用することにより、数多くの利点が得られる。
【００７６】
例示的な実施形態では、ＰＵＣＣＨの構成時に使用するパラメータの選択が改善される。主にＲＲＣシグナリング（ＳＩＢ及び専用シグナリングの両方）を介してこれらのパラメータをＵＥ１０へ信号送信することができる。ネットワーク側でパラメータ選択を行うことができ、例えばＯ＆Ｍ１８インターフェイスを介してパラメータ選択を設定することができる。
【００７７】
本発明の例示的な実施形態は、ＬＴＥ及びＬＴＥ−Ａシステムにおけるより柔軟なスペクトルの使用のためのいくつかのオプションを提供する。これらのオプションは、以下に限定されるわけではないが、
（８ＭＨｚなどの）任意のＢＷ割り当てのためのＬＴＥ  ＵＬシステムの実施、
ＵＬ  ＡＣＬＲの制御、
ＬＴＥ−ＡのＵＥの連続送信ＢＷ量の増加（ＴＸ  ＢＷのＳＣ＞２０ＭＨｚ）、
ＣＭを最適化できるようにする、より柔軟なマルチクラスタ送信（等間隔のクラスタ）の設定、
及び柔軟なスペクトルの使用（ＦＳＵ）の場合の制御シグナリングの柔軟性の向上、
を含む。
【００７８】
オーバーディメンショニング、オーバープロビジョニング、及び（ＰＵＣＣＨブランキングなどの）ブランキングなどの用語又はその他の用語によって表されるような本発明の例示的な実施形態に非限定的な態様で関連するようにするために、これらの用語を同義的に使用できる点にさらに留意されたい。
【００７９】
上述の内容に基づけば、本発明の例示的な実施形態が、アップリンク制御チャネルのための帯域幅の割り当てを改善し、より具体的にはアップリンクシステム帯域幅の割り当てを調整し、アップリンク制御チャネルの割り当てを調整するための方法、装置、及び（単複の）コンピュータプログラム製品を提供することは明らかである。
【００８０】
図９は、本発明の例示的な実施形態による方法の動作及びコンピュータプログラム命令の実行結果を示す論理フロー図である。ブロック９Ａにおいて、定期的なＣＱＩリソース（ＰＵＣＣＨフォーマット２／２ａ／２ｂ）を所定の方法でオーバーディメンションするステップを行い、ブロック９Ｂにおいて、スペクトルの端部が未使用のままとなるようにＰＵＣＣＨフォーマット２／２ａ／２ｂを割り当てるステップを行う。
【００８１】
前段落のような方法及びコンピュータプログラム命令の実行では、オーバーディメンションするステップが、パラメータ
0005468066.tif 000030
及び
0005468066.tif 000031
を、
0005468066.tif 000032
＞＞（ＰＵＣＣＨフォーマット２／２ａ／２ｂに同時に割り当てられたリソースの数）となるように選択するステップを含む。
0005468066.tif 000033
は、ＰＵＣＣＨフォーマット２／２ａ／２ｂのリソースインデックス（サイズ）である。
0005468066.tif 000034
は、周波数領域内のリソースブロックサイズに等しく、サブキャリア数として表される（
0005468066.tif 000035
＝１２）。
0005468066.tif 000036
は、ＰＵＣＣＨフォーマット２／２ａ／２ｂのために予約された帯域幅であり、
0005468066.tif 000037
の倍数で表される。
0005468066.tif 000038
は、混合リソースブロック（ＰＵＣＣＨフォーマット１／１ａ／１ｂ及び２／２ａ／２ｂを含む）内でＰＵＣＣＨフォーマット１／１ａ／１ｂに使用される巡回シフトの数である。
【００８２】
前段落のような方法及びコンピュータプログラム命令の実行では、ＰＵＣＣＨリソースのオーバーディメンショニングが、所定数のＰＵＣＣＨフォーマット２／２ａ／２ｂリソースブロック（ＲＢ）が未使用のままとなるように実行される。
【００８３】
前段落のような方法及びコンピュータプログラム命令の実行では、割り当て時に未使用のＰＵＣＣＨフォーマット２／２ａ／２ｂリソースの数が
0005468066.tif 000039
となるように定義され、この場合ｋ∈［０，１，２，．．．］であり、未使用のリソースは、
0005468066.tif 000040
∈［０，１，２、．．．
0005468066.tif 000041
］となるように設定される。
【００８４】
前段落のような方法及びコンピュータプログラム命令の実行では、定期的なＣＱＩリソース（ＰＵＣＣＨフォーマット２／２ａ／２ｂ）を最後の利用可能なＰＵＣＣＨフォーマット２／２ａ／２ｂリソース（
0005468066.tif 000042
）から割り当てるステップをさらに含む。
【００８５】
前段落のような方法及びコンピュータプログラム命令の実行では、ＰＵＳＣＨの割り当てが、調整されたＵＬシステム帯域幅を超えることはなく、ＰＲＡＣＨの割り当てが、調整されたＵＬシステム帯域幅を超えることはない。
【００８６】
前段落のような方法及びコンピュータプログラム命令の実行では、ＰＵＣＣＨエリア内の繰り返し因数及び帯域幅に関してサウンディング基準信号を準静的に構成することができる。
【００８７】
図９に示す様々なブロックは、方法ステップとして、及び／又はコンピュータプログラムコードを実施した結果生じる動作として、及び／又は（単複の）関連する機能を実行するように構成された複数の結合論理回路要素としてとらえることができる。
【００８８】
これらの例示的な実施形態はまた、ＣＱＩリソース（ＰＵＣＣＨフォーマット２／２ａ／２ｂ）を所定の方法でオーバーディメンションするための手段と、前記オーバーディメンションされたリソースに応答して、スペクトルの端部が未使用のままとなるようにＰＵＣＣＨフォーマット２／２ａ／２ｂを割り当てるための手段とを含む装置も提供する。装置は、１又はそれ以上の集積回路として具体化することができる。
【００８９】
また、図１０は、本発明の例示的な実施形態による方法、装置、及びコンピュータプログラム製品を示す論理フロー図である。ブロック１０Ａにおいて、定期的なチャネル品質指標リソースを含む無線リソースを所定の方法でオーバープロビジョンするステップを行い、ブロック１０Ｂにおいて、この無線リソースを、有効なシステム帯域幅の少なくとも１つを縮小し、割り当てられる無線リソースに関連する帯域外放射を考慮に入れて割り当てるステップを行う。
【００９０】
前段落の方法、装置、及びコンピュータプログラムでは、無線リソースが、物理アップリンク制御チャネルリソース、物理アップリンク共有チャネルリソース、及び物理ランダムアクセスチャネルリソースのうちの少なくとも１つを含む。
【００９１】
前段落の方法、装置、及びコンピュータプログラムでは、割り当てステップが、所定の少なくとも１つの定期的なチャネル品質指標リソースを未使用のまま又は空白のままの一方にすることを含む。
【００９２】
前段落の方法、装置、及びコンピュータプログラムでは、無線リソースが、物理アップリンク共有チャネルリソース及び物理ランダムアクセスチャネルリソースの少なくとも一方を含み、物理アップリンク共有チャネルリソース及び物理ランダムアクセスチャネルリソースの少なくとも一方が、所定の少なくとも１つの定期的なチャネル品質指標リソースが未使用のまま又は空白のままの一方となるように割り当てられる。
【００９３】
前段落の方法、装置、及びコンピュータプログラムでは、割り当てステップが、帯域外放射を予め定めた方法で制御するために、オーバープロビジョンされた無線リソースの所定部分に対して使用する送信電力を制御するステップ及び選択するステップの少なくとも一方を含む。
【００９４】
前段落の方法、装置、及びコンピュータプログラムでは、定期的なチャネル品質指標リソースが、物理アップリンク制御チャネルフォーマット２、２ａ、及び２ｂのうちの少なくとも１つを含み、オーバープロビジョンするステップが、パラメータ
0005468066.tif 000043
及び
0005468066.tif 000044
を、
0005468066.tif 000045
＞＞（物理アップリンク制御チャネルフォーマット２、２ａ、及び２ｂのうちの少なくとも１つに同時に割り当てられたリソースの数）となるように選択するステップを含み、物理アップリンク制御チャネルフォーマット２、２ａ、及び２ｂのうちの少なくとも１つに同時に割り当てられたリソースの数が
0005468066.tif 000046
に等しく、
0005468066.tif 000047
は物理アップリンク制御チャネルフォーマット２、２ａ、及び２ｂに関して使用されるリソースのリソースインデックスであり、
0005468066.tif 000048
は周波数領域内のリソースブロックサイズに等しく、サブキャリア数として表され、
0005468066.tif 000049
は物理アップリンク制御チャネルフォーマット２、２ａ、及び２ｂのために予約された帯域幅であり、
0005468066.tif 000050
の倍数で表され、
0005468066.tif 000051
は混合リソースブロック内の物理アップリンク制御チャネルフォーマット１、１ａ、及び１ｂのうちの少なくとも１つに使用される巡回シフトの数であり、
0005468066.tif 000052
は物理アップリンク制御チャネルフォーマット２、２ａ、及び２ｂに関して使用されるリソースのリソースインデックスである。
【００９５】
前段落の方法、装置、及びコンピュータプログラムでは、無線リソースを割り当てるステップが、少なくとも１つの物理アップリンク制御チャネルフォーマット２、２ａ、及び２ｂリソースを割り当てるステップを含み、割り当てステップが
0005468066.tif 000053
により定義され、この場合ｋ∈［０，１，２，．．．］であり、未使用のリソースが
0005468066.tif 000054
∈［０，１，２，．．．
0005468066.tif 000055
］となるように設定され、
0005468066.tif 000056
は物理アップリンク制御チャネルフォーマット２、２ａ、及び２ｂに関して使用されるリソースのリソースインデックスであり、
0005468066.tif 000057
は周波数領域内のリソースブロックサイズに等しく、サブキャリア数として表される。
【００９６】
前段落の方法、装置、及びコンピュータプログラムでは、定期的なチャネル品質指標リソースが、物理アップリンク制御チャネルフォーマット２、２ａ、及び２ｂのうちの少なくとも１つを含み、物理アップリンク制御チャネルフォーマット２、２ａ、及び２ｂのうちの少なくとも１つを、（
0005468066.tif 000058
）によって定義される最後の利用可能な物理アップリンク制御チャネルフォーマット２、２ａ、及び２ｂリソースから割り当てるステップをさらに含み、
0005468066.tif 000059
は周波数領域内のリソースブロックサイズに等しく、サブキャリア数として表され、
0005468066.tif 000060
は物理アップリンク制御チャネルフォーマット２、２ａ、及び２ｂのために予約された帯域幅であり、
0005468066.tif 000061
の倍数で表され、
0005468066.tif 000062
は混合リソースブロック内の物理アップリンク制御チャネルフォーマット１、１ａ、及び１ｂのうちの少なくとも１つに使用される巡回シフトの数である。
【００９７】
前段落の方法、装置、及びコンピュータプログラムでは、無線リソースがサウンディング基準信号リソースを含み、割り当てステップが、サウンディング基準信号リソースが、オーバープロビジョンされた定期的なチャネル品質指標リソースと重複するように構成されることを含む。
【００９８】
前段落の方法、装置、及びコンピュータプログラムでは、システム帯域幅が、１．４ＭＨｚ、３ＭＨｚ、５ＭＨｚ、１０ＭＨｚ、１５ＭＨｚ、又は２０ＭＨｚのうちの１つに等しい。
【００９９】
前段落の方法、装置、及びコンピュータプログラムでは、システムがロングタームエボリューションシステムである。
【０１００】
前段落の方法、装置、及びコンピュータプログラムでは、無線リソースがアップリンク無線リソースである。
【０１０１】
装置に統合されるとともに、前段落の方法を実行するように構成されたプロセッサにより実行可能なコンピュータプログラムでエンコードされたコンピュータ可読媒体。
【０１０２】
一般に、様々な例示的な実施形態は、ハードウェア又は専用回路、ソフトウェア、論理回路、又はこれらのあらゆる組み合わせの形で実現することができる。例えば、ハードウェアの形で実現できる態様もあれば、コントローラ、マイクロプロセッサ、又はその他のコンピュータ装置が実行できるファームウェア又はソフトウェアの形で実現できる態様もあるが、本発明はこれらに限定されるものではない。本発明の例示的な実施形態の様々な態様をブロック図、フロー図、又は他の何らかの図的記述を使用して示し説明することができるが、本明細書で説明したこれらのブロック、装置、システム、技術、又は方法を、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実現できることを十分に理解されたい。
【０１０３】
従って、本発明の例示的な実施形態の少なくともいくつかの態様を集積回路チップ及びモジュールなどの様々な構成要素の形で実現できることを理解されたい。集積回路の設計は、概して高度に自動化されたプロセスである。論理レベルの設計を、半導体基板上に作製される準備ができている半導体回路の設計に転換するために、複雑かつ強力なソフトウェアツールが利用可能である。このようなソフトウェアツールは、確立された設計ルール及び事前に記憶した設計モジュールのライブラリを使用して導体を自動的に配線し、部品を半導体基板上に配置することができる。半導体回路の設計が完了すると、結果として得られる（Ｏｐｕｓ、ＧＤＳＩＩなどの）標準化された電子フォーマットの設計を半導体加工施設へ送り、１又はそれ以上の集積回路デバイスとして製造することができる。
【０１０４】
添付図面とともに上述の説明を読めば、当業者には上述の説明に照らして本発明の上述の例示的な実施形態への様々な修正及び適応が明らかになるであろう。しかしながら、あらゆる修正もやはり本発明の非限定的な及び例示的な実施形態の範囲に含まれる。
【０１０５】
例えば、上記では、Ｅ−ＵＴＲＡＮ（ＵＴＲＡＮ−ＬＴＥ）システム及びＬＴＥ−Ａｄｖａｎｃｅｄシステムとの関連において例示的な実施形態を説明したが、本発明の例示的な実施形態がこれらの特定の種類の無線通信システムのみとの使用に限定されないこと、及び本発明の例示的な実施形態を使用して他の無線通信システムで優位性を発揮できることを理解されたい。
【０１０６】
なお、「接続された」、「結合された」という用語、又はこれらのあらゆる変形は、２又はそれ以上の要素間の直接的又は間接的なあらゆる接続又は結合を意味し、互いに「接続」又は「結合」された２つの要素間における１又はそれ以上の中間要素の存在を含むことができる。要素間の結合又は接続は、物理的なもの、論理的なもの、或いはこれらの組み合わせであってもよい。本明細書で使用する場合、１又はそれ以上の電線、ケーブル及び／又はプリント電子接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより２つの要素が互いに「接続」又は「結合」されると考えることができる。
【０１０７】
さらに、本発明の様々な非限定的な例示的な実施形態の特徴の一部を、その他の特徴を対応して使用することなく有利に使用することができる。従って、上述の説明は、本発明の原理、教示及び例示的な実施形態を例示したものにすぎず、これらを限定するものではないとみなすべきである。
【符号の説明】
【０１０８】
５１０  スペクトルの端部
５２０  スペクトルの端部
【図１】
0005468066.tif 000103
【図３】
0005468066.tif 000104
【図４】
0005468066.tif 000105
【図５Ａ】
0005468066.tif 000106
【図５Ｂ】
0005468066.tif 000107
【図６】
0005468066.tif 000108
【図７】
0005468066.tif 000109
【図８】
0005468066.tif 000110
【図９】
0005468066.tif 000111
【図１０】
0005468066.tif 000112
【図２】
0005468066.tif 000113